(57)【要約】【課題】キャリーバッグにハンガー機能を付加することにより、上着や手提げ袋類などを掛けて一緒に運べるようにする。【解決手段】本体１の上部に設けられ、主体枠２に固定又はスライド可能に結合されていて、下向きコの字形の平行垂直部１２、１３に挟まれる中央部分を握り手１１とする運搬把手部１０と、運搬把手部の上部付近から前記平行垂直部の外側に向かって突き出させることができるハンガー突出部１４、１５を含む構成とする。ハンガー突出部は、一対の振り出し棒で、握り手内部、又はそれに平行な筒状の部分に収納可能としてもよい。また、一対の棒状又は板状で、運搬把手部平行垂直部に沿う姿勢から略９０度回転して外方向に突き出すようにしてもよい。【選択図】　　　　図１
2004073534.tif 000002
【特許請求の範囲】
【請求項１】
本体の底部にキャスターを備え、そのキャスターを転がしながら運搬することができるキャリーバッグにおいて、
前記本体の上部に設けられ、下向きコの字形の平行垂直部が前記本体の主体枠に対して固定又はスライド可能に結合されていて、前記平行垂直部に挟まれる中央部分を前記運搬を行うための握り手とする運搬把手部と、
前記運搬把手部の上部付近から前記平行垂直部の外側に向かって突き出させることができるハンガー突出部と、
を含むことを特徴とするハンガー機能つきキャリーバッグ。
【請求項２】
請求項１に記載されたハンガー機能つきキャリーバッグにおいて、
前記ハンガー突出部は、前記平行垂直部の外側に左右に伸ばすことができる一対の振り出し棒であり、
前記握り手の内部、又は、その握り手に平行に設けられたほぼ筒状の部分の内部の何れかに前記振り出し棒を収納すること
を特徴とするハンガー機能つきキャリーバッグ。
【請求項３】
請求項１に記載されたハンガー機能つきキャリーバッグにおいて、
前記ハンガー突出部は、一対の棒状又は板状の何れかの形状で、運搬把手部の前記平行垂直部に沿う姿勢からそれぞれ略９０度回転して外方向に突き出すことができること
を特徴とするハンガー機能つきキャリーバッグ。
【発明の詳細な説明】
【０００１】
【発明の属する技術分野】
本発明は、手で押す又は引いて運搬することができるキャリーバッグに関し、特に、運搬のための把手部付近に、上着類などを掛けるためのハンガー構造を付加したハンガー機能つきキャリーバッグに関するものである。
【０００２】
【従来の技術】
従来のキャリーバッグは、上部に把手部があり、下部にキャスターが付いていて、把手部を持ってキャスターを転がしながら運べるようになっている。
この転がし運搬用の把手部は、キャリーバッグ本体の主枠体に固定されている物もあるが、主枠体の上部に手提げ用として設けられた持ち手部とは別に、主枠体に対してスライドし、引き出せるようになっているものが殆どである。
これは、手提げ用の持ち手部は、そこを握って引っ張るには、位置が低すぎるからである。
上に引き出せる把手部としては、一般に下向きコの字形で、左右一対の平行な部分に挟まれた中央上部を握り手とし、一対の平行垂直部が主枠体の垂直部分にスライド可能に係合し、一定の位置まで引き出せば、それ以上は引き出せないようになっている。
【０００３】
【発明が解決しようとする課題】
旅行やショッピングでキャリーバッグを携行する場合に、キャリーバッグを運びながら他の物を手に持ちたいときがしばしば生じる。
例えば、買い物をした店で品物を入れてくれた手提げ袋や、夏場に涼しい場所から暑い場所に移動した場合に脱いだ上着など、キャリーバッグに収納の余地がなければ勿論のこと、入れる余地があっても、直ぐその場でキャリーバッグに入れるのは面倒である。
特に、夏場の上着は、車の乗り降りや、冷房の効いたビルの出入りの度に、脱いだり、着たりしなければならないので、キャリーバッグ携行時には、持ちにくく困ってしまうことが多い。
【０００４】
本発明の課題は、キャリーバッグを運ぶ手以外の手を塞ぐことなく、一時脱いだ上着などの衣類や、簡易手提げ袋類などをキャリーバッグとともに運ぶことができるハンガー機能つきキャリーバッグを提供することである。
【０００５】
【課題を解決するための手段】
前記課題を解決するために、請求項１の発明は、本体（１）の底部にキャスター（２ｂ、２ｂ、２ｂ、２ｂ）を備え、そのキャスター（２ｂ、２ｂ、２ｂ、２ｂ）を転がしながら運搬することができるキャリーバッグにおいて、前記本体（１）の上部に設けられ、下向きに開いたコの字形の平行垂直部（１２、１３）が前記本体（１）の主体枠（２）に対して固定又はスライド可能に結合されていて、前記平行垂直部（１２、１３）に挟まれる中央部分を前記運搬を行うための握り手（１１）とする運搬把手部（１０）と、前記運搬把手部（１０）の上部付近から前記平行垂直部（１２、１３）の外側に向かって突き出させることができるハンガー突出部（１４、１５）と、を含むことを特徴とするハンガー機能つきキャリーバッグである。
【０００６】
請求項２の発明は、請求項１に記載されたハンガー機能つきキャリーバッグにおいて、前記ハンガー突出部（１４と１５又は２４と２５）は、前記平行垂直部（１２と１３又は２２と２３）の外側に左右に伸ばすことができる一対の振り出し棒（１４と１５又は２４と２５）であり、前記握り手（１１又は２１）の内部、又は、その握り手（２１）に平行に設けられたほぼ筒状の部分（２１ａ）の内部の何れかに前記振り出し棒（１４と１５又は２４と２５）を収納することを特徴とするハンガー機能つきキャリーバッグである。
【０００７】
請求項３の発明は、請求項１に記載されたハンガー機能つきキャリーバッグにおいて、前記ハンガー突出部（３４と３５又は４４と４５）は、一対の棒状又は板状の何れかの形状で、運搬把手部（３０又は４０）の前記平行垂直部（３２と３３又は４２と４３）に沿う姿勢からそれぞれ略９０度回転して外方向に突き出すことができることを特徴とするハンガー機能つきキャリーバッグである。
【０００８】
【発明の実施の形態】
以下、図面等を参照して、本発明の実施形態について、さらに詳しく説明する。図１は、本発明の一実施形態を、ハンガー突出部を引き出した状態で示した斜視図である。
図２は、図１の実施形態のハンガー機能部分を拡大して示す斜視図である。同図のＡ１　は、ハンガー突出部１４及び１５を引き出した状態を示し、同図のＢ１　は、ハンガー突出部１４及び１５を引っ込めた状態を示している。
【０００９】
図１に示すように、バッグ本体１の上部には、バッグ本体１から上方向に引き出すことができる運搬把手部１０が結合されている。
運搬把手部１０は、開いた部分が下向きのコの字形になっていて、コの字形の平行垂直部１２、１３が、バッグ本体１の主体枠２に対してスライド可能に結合されている。
本実施形態のハンガー機能つきキャリーバッグは、運搬把手部１０の上部付近から平行垂直部１２、１３の外側に向かって突き出させることができるハンガー突出部１４、１５が設けられている。
運搬把手部１０は、下向きのコ字形の平行垂直部１２、１３に挟まれる中央部（上部）が握り手１１となっている。ハンガー突出部１４及び１５は、この図の例では、引っ込めたときに握り手１１内に収納される。
【００１０】
ハンガー突出部１４及び１５は、左右に伸ばすことができる一対の振り出し棒であって、図１（図２）の場合は、握り手１１の内部を収納場所とする。
図１（図２）のハンガーハンガー突出部１４、１５を、引き出した姿勢、及び、握り手１１内に収納したときの姿勢を保持する構造は、特に図示はしないが、カメラの撮影時手振れを防止するための三脚と同様な構造を適用すればよい。
【００１１】
図３は、他の実施形態のハンガー機能部分を示す説明図（斜視図）である。同図のＡ１　は、ハンガー突出部２４及び２５を引き出した状態を示し、同図のＢ１　は、ハンガー突出部２４及び２５を引っ込めた状態を示している。
図３の実施形態が図１（図２）と異なるところは、振り出し棒収納部２１ａを握り手２１に平行に、その外部に設けている点である。
なお、図３の場合は、振り出し棒収納部２１ａは、握り手２１と同一素材で一体に形成してある。また、ハンガーハンガー突出部２４、２５は、それぞれパイプ２４ａと２４ｂ、パイプ２５ａと２５ｂからなる２段の振り出し棒で形成されている。振り出し棒を無段にするか、複数段にするかは、必要とする強度や体裁によって適宜選択すればよい。
【００１２】
図４及び図５は、図３のハンガー機能部分を備えた本発明のハンガー機能つきキャリーバッグの使用状況を示す斜視図である。
図４は、ハンガーハンガー突出部２４、２５に、旅行先などで貰った袋（土産物袋など）５の手提げ紐を引っかけた状態を示したものである。
図５は、図４の袋５の上からさらに、上着６を引っかけて袋５と上着６を、キャリーバッグ１とともに運ぶ場合の状態を示したものである。
図５の状態にすれば、夏の炎天下に、上着を脱ぎ、買い物をしても、上着やショッピングバッグ等を手に持つことなく、片手でキャリーバッグを押して運ぶことができる。
【００１３】
（変形形態）
以上説明した実施形態に限定されることなく、種々の変形や変更が可能であって、それらも本発明の均等の範囲内である。
（１）　例えば、図６は、ハンガー機能部分を一対の板状のハンガー突出部３４、３５で形成したキャリーバッグの例を示す背面図である。
ハンガー突出部３４、３５は、運搬把手部３０の下向きコの字形の平行垂直部３２、３３に沿って垂下する姿勢から右まわり、又は、左まわりで、それぞれ略９０度回転して外方向に突き出すように構成してある。
【００１４】
ハンガー突出部３４、３５には、それぞれの根元付近に軸孔３４ａ、３５ａがあって、それらを貫通する軸ピン３２ａ、３３ａを回転軸として、それぞれ回転できるようになっている。
ピン３２ａ、３３ａは、運搬把手部３０の下向きコの字形の平行垂直部３２、３３のそれぞれの上部付近に埋め込まれている。
【００１５】
ハンガー突出部３４、３５の回転範囲を規制するのは、運搬把手部３０の平行垂直部３２、３３に埋め込まれたピン３２ｂ、３３ｂとハンガー突出部３４、３５に設けられたガイド孔３４ｂ、３５ｂとの係合関係である。
ガイド孔３４ｂ、３５ｂは、軸ピン３２ａ、３３ａを中心として約９０度の弧を描く細い貫通孔である。
ガイド孔３４ｂ、３５ｂに沿って、相対的にガイドピン３２ｂ、３３ｂをスライドさせることによって、ハンガー突出部３４、３５は、約９０度の範囲で回転し、ほぼ垂直から水平へ、又は、その逆に姿勢を変換させることができる。
【００１６】
軸孔３４ａ、３５ａは、ほぼＶ字形で、ハンガー突出部３４、３５がともに垂直である場合、及び、水平に拡げた場合に、Ｖ字形を形成する２本の直線状の孔の何れかが、その孔の長手方向が垂直であるように作られている。
また、ガイド孔３４ｂ、３５ｂのハンガー突出部の根元寄り、及び反対側の端部を延長して、それぞれ軸孔３４ａ又は３５ａの方向に曲げてある。
【００１７】
そこで、水平に拡げたハンガー突出部３４（３５）は、回転直後の状態から、それぞれ運搬把手部３０の平行垂直部３２（３３）に対して相対的に押し下げることによって、軸ピン３２ａとガイドピン３２ｂ（軸ピン３３ａとガイドピン３３ｂ）が、軸孔３４ａ（３５ａ）、又は、ガイド孔３４ｂ（３５ｂ）に沿ってスライドして、軸孔３４ａ（３５ａ）のＶ字形の一つの棒状の部分とガイド孔３４ｂ（３５ｂ）の先端の曲げ部分に嵌まり、ハンガー突出部３４、３５を、その姿勢に一時固定することができる。
【００１８】
また、垂下状態にあるハンガー突出部３４（３５）は、回転直後の状態から、それぞれ運搬把手部３０の平行垂直部３２（３３）に対して相対的に押し上げることによって、軸ピン３２ａとガイドピン３２ｂ（軸ピン３３ａとガイドピン３３ｂ）が、軸孔３４ａ（３５ａ）、又は、ガイド孔３４ｂ（３５ｂ）に沿ってスライドして、軸孔３４ａ（３５ａ）のＶ字形の他の棒状の部分とガイド孔３４ｂ（３５ｂ）の先端の曲げ部分に嵌まり、ハンガー突出部３４、３５を、その姿勢に一時固定することができる。
【００１９】
（２）　図７は、図６のキャリーバッグの運搬把手部３０を上方に引き出し、ハンガー突出部３４、３５を拡げた状態で示す斜視図である。
なお、キャリーバッグ本体３は、背の低いものであり、運搬把手部３０の下向きコの字形の平行垂直部３２、３３は、角形（又は丸形でもよい）のパイプ状の部分３２ａと３２ｂ、３３ａと３３ｂの、それぞれ２段構成の段付き引き出し構造となっている。
図７の実施形態でも、図１の場合と同様に（図４、図５のように）使用することができる。
【００２０】
（３）　図８は、さらに他の実施形態のハンガー機能部を示す説明図（斜視図）である。
同図のＡ３　は、ハンガー突出部４４及び４５を突き出させた状態を示し、同図のＢ３　は、ハンガー突出部４４及び４５を垂下させた状態を示している。
図８は、図６の板状のハンガー突出部３４及び３５の代わりに、棒状のハンガー突出部４４及び４５を使用したものであって、ハンガー突出部４４及び４５は、図６の板状のものと同様に、水平と垂直の２つの姿勢をとることができる。
【００２１】
ハンガー突出部４４（又は４５）の回転範囲を規制するのは、孔４６ａ（４７ａ）とハンガー突出部４４（４５）の係合である。
孔４６ａ（４７ａ）は、運搬把手部４０の握り手４１に内蔵するガイド金具４６（４７）に設けられている。
ハンガー突出部４４（４５）の棒状の部分４４ａ（４５ａ）は、孔４６ａ（４７ａ）を貫通している。
孔４６ａ（４７ａ）は、ガイド金具４６（４７）のほぼ９０度に立ち上がる曲面に沿って設けられている。
したがって、棒状の部分４４ａ（４５ａ）は、孔４６ａ（４７ａ）に沿って、相対的にスライドさせることによって、約９０度の範囲で回転し、ほぼ垂直から水平へ、又はその逆に姿勢を変換させることができる。
【００２２】
ハンガー突出部４４（又は４５）は、棒状の部分４４ａ（４５ａ）の根元側端部に固定された鍔付きストッパー４４ｂ（４５ｂ）の端部に、鍔４４ｃ（４５ｃ）が設けられている。
ストッパー４４ｂ（４５ｂ）は、ハンガー突出部４４（４５）が水平状態にあるとき、その姿勢を維持するために、鍔４４ｃ（４５ｃ）が使用される。
また、ストッパー４４ｂ（４５ｂ）は、棒状の部分４４ａ（４５ａ）より径が大きいので、ハンガー突出部４４（４５）の全体が孔４６ａ（４７ａ）の外側に抜け落ちるのを防いでいる。
【００２３】
ハンガー突出部４４（４５）を水平状態に一時固定するときは、突出板４８（４９）に、鍔４４ｃ（４５ｃ）を引っかけて係合すればよい。突出板４８（４９）は、握り手４１の内部に突き出す形で固定されている。
また、垂下状態にあるハンガー突出部４４（４５）は、ハンガー突出部の一方４４（又は４５）の先端部付近に取り付けた結合紐５０で作られた輪５０ａを、相手４５（又は４４）の先端部付近に引っかけることにより、ある程度固定して、ぶらぶらしないようにすることができる。
【００２４】
（４）　図９は、ハンガー突出部４４及び４５と類似のハンガー突出部５４及び５５を、水平状態に一時固定する他の方法を示す説明図（斜視図）である。
ただし、ハンガー突出部５４に関する部分のみを示した。ハンガー突出部５５に関する部分は、ハンガー突出部５４と全く対称的で、同一構造であるので説明を省略する。
図９に示すように、ハンガー突出部５４の根元側端部には、棒状の部分５４ａの径より大きい径の球形の部分５４ｂが形成されている。
また、図示しない握り手内に、球形の部分５４ｂを一時固定するための固定金具５６が取付けられている。
【００２５】
固定金具５６には、球形の部分５４ｂを左右から挟んで、棒状の部分５４ａが、後退しないように保持するバネ５７が固定されている。固定金具５６の立ち上がり部分５６ａの孔５６ｂは、球形の部分５４ｂをバネ５７の開放端に向かわせ、バネ５７に保持された後は、根元側端部が一定以上に上がらないようにして、ハンガー突出部５４の先端が下がり過ぎないようにしている。
ハンガー突出部５４及び５５が垂下状態にある場合には、図８の場合と同様に、一方の先端部付近に取り付けた図示しない結合紐の輪を、他方の先端部付近に引っかけるなどにより、ぶらつかないようにすることができる。
【００２６】
（５）　図１０は、図６のハンガー機能部のハンガー突出部３４、３５が垂下している状態で、キャリーバッグ本体３の背面に設けた上部開放のポケット３ａによって先端部を、さらに安定化した状況を示す説明図（左側面の部分図）である。
図６〜図９に示した実施形態では、ハンガー突出部の先端垂下の状態で、運搬把手部の平行垂直部３２（３３）を、キャリーバッグ本体３内に収容した場合は、ハンガー突出部３４（３５）の先端部を、キャリーバッグ本体３の背面に設けた上部開放のポケット３ａの開放口に挿入し、ポケットの入り口を絞るゴム紐３ｂなどの弾力などにより、抑えるようにすれば、ハンガー突出部３４（３５）の先端部の安定を図ることができる。
そして、このようなポケット３ａは、図示しない新聞紙や雑誌類を、一時挟んで置くのに都合がよい。
【００２７】
（６）　上記に説明した変形形態は、単なる一例であって、その他、ハンガー突出部の構造、形状なども、さらなる変形や応用とその組み合わせも可能である。また、ハンガー突出部の水平、垂直の姿勢を保つ方法についても、ネジ構造や磁石を使用するなど、種々の方法が考えられるが、いずれも本発明の主旨に沿うもであれば、それらは、いずれも本発明に含まれる。
【００２８】
【発明の効果】
以上詳しく説明したように、本発明によれば、キャスターを転がしながら運搬することができるキャリーバッグにおいて、下向きに開いたコの字形の平行垂直部が前記本体の主体枠に対して固定又はスライド可能に結合されていて、前記平行垂直部に挟まれる中央部分を前記運搬を行うための握り手とする運搬把手部の上部付近から前記平行垂直部の外側に向かって突き出させることができるハンガー突出部を備えることにより、従来のキャリーバッグにハンガー機能を付加することができるので、キャリーバッグを運ぶ手以外の手を塞ぐことなく、一時脱いだ上着などの衣類や、手提げ袋類などをキャリーバッグとともに運ぶことができるという効果がある。
【図面の簡単な説明】
【図１】本発明の一実施形態を示す斜視図である。
【図２】図１の実施形態のハンガー機能部を示す説明図（斜視図）である。
【図３】他の実施形態のハンガー機能部を示す説明図（斜視図）である。
【図４】図３のハンガー機能つきキャリーバッグの使用状況例を示す説明図（斜視図）である。
【図５】図３のハンガー機能つきキャリーバッグの使用状況例を示す説明図（斜視図）である。
【図６】ハンガー突出部が板状であるハンガー機能部の例を示す背面図である。
【図７】図６のハンガー機能部使用のハンガー機能つきキャリーバッグの例を示す斜視図である。
【図８】さらに他のハンガー機能部を示す説明図（斜視図）である。
【図９】図９類似のハンガー突出部の他の水平状態一時固定方法を示す説明図（斜視図）である。
【図１０】図６のハンガー突出部の垂下状態を安定化する方法を示す説明図（左側面図）である。
【符号の説明】
１、３　バッグ本体
１０、２０、３０、４０　運搬把手部
１１、２１、３１、４１　握り手
１２、１３、３２、３３、４２、４３　平行垂直部
１４、１５、２４、２５、３４、３５、４４、４５　ハンガー突出部
【図１】
2004073534.tif 000003
【図２】
2004073534.tif 000004
【図３】
2004073534.tif 000005
【図４】
2004073534.tif 000006
【図５】
2004073534.tif 000007
【図６】
2004073534.tif 000008
【図７】
2004073534.tif 000009
【図８】
2004073534.tif 000010
【図９】
2004073534.tif 000011
【図１０】
2004073534.tif 000012